(57)【要約】【課題】腹部に痛みをもつ利用者が１人で起き上がることができるベッド装置、及びそれを用いた起き上がり方法を提供すること。【解決手段】本発明にかかるベッド装置１０は、背ボトム２の角度変化を電動で調整できるリクライニングベッドと、リクライニングベッドの利用者８が上半身を上方に引き上げるために用いる稼動手すり４であって、背ボトム２の角度が変化する動作に連動してリクライニングベッドの長手方向に移動可能な稼動手すり４と、を備えるものである。【選択図】図１
2010162196.tif 000002
【特許請求の範囲】
【請求項１】
背ボトムの角度変化を電動で調整できるリクライニングベッドと、
前記リクライニングベッドの利用者が上半身を上方に引き上げるために用いる手すりであって、前記背ボトムの角度が変化する動作に連動して前記リクライニングベッドの長手方向に移動可能な手すりと、を備えるベッド装置。
【請求項２】
前記背ボトムを動作させて角度変化を調整するための第１コントローラと、
前記背ボトムの動作と同期させて前記手すりを移動させるための第２コントローラと、をさらに備える請求項１記載のベッド装置。
【請求項３】
前記第２コントローラからの指示によって、
前記背ボトムを起こす場合は、前記背ボトムが起き上がる動作に連動して前記手すりが前記利用者の前方方向へ移動され、
前記背ボトムを倒す場合は、前記背ボトムが倒される動作に連動して前記手すりが前記利用者の後方方向へ移動されることを特徴とする請求項２に記載のベッド装置。
【請求項４】
前記第２コントローラは、前記手すりに設けられている請求項２又は３に記載のベッド装置。
【請求項５】
物を載置するためのテーブルが前記手すりに備えられている請求項１乃至４のいずれか１項に記載のベッド装置。
【請求項６】
請求項３乃至５に記載のベッド装置を用いて利用者が起き上がる起き上がり方法であって、
前記第１コントローラを操作することによって、前記背ボトムを所定の角度まで起こし、
前記利用者が前記手すりをつかんだ状態で前記第２コントローラを操作することによって、前記背ボトムが前記所定の角度からさらに起き上がる動作に連動して前方方向に移動する前記手すりの動きを利用して前記利用者が上半身を上方に引き上げて起き上がる起き上がり方法。
【請求項７】
前記所定の角度は、腹部に痛みをもつ前記利用者が前記背ボトムに圧迫されることにより腹部に痛みを感じる前の角度である請求項６に記載の起き上がり方法。
【発明の詳細な説明】
【技術分野】
【０００１】
本発明はベッド装置に関し、特に詳しくはリクライニング機構を備えた介護用のベッド装置、及びそれを用いた起き上がり方法に関する。
【背景技術】
【０００２】
例えば身体を自由に動かすことが困難な利用者８が、図６（ａ）のようにベッド装置６０に寝続けていると床ずれにより体にしびれが生じるため、図６（ｂ）のように起き上がらせることが必要である。
【０００３】
このように自力で起き上がれない利用者８に対して、背ボトムの角度変化を電動で調整できるリクライニング機構（背上げ機構）を備えた介護用ベッド装置が用いられている（例えば、特許文献１）。
【０００４】
図７は、従来のリクライニング機構を備えたベッド装置７０を利用して利用者８が起き上がるときの状態を説明するための側面図である。図７に示すように、ベッド装置７０のリクライニング機構を作動させると、利用者８の上半身に対応する背ボトム（背部床面）２が起上方向に駆動される。それによって、利用者８の上半身を水平状態から起こすことができる。
【０００５】
このとき、背ボトム２が起上するにつれ、それまで寝ていた利用者８の下腹部が背ボトム２に包み込まれて圧迫されてしまうことになる。そのため、利用者８は、下腹部の圧迫状態を解除するために、起き上がる途中で腰部（臀部）を後ろに引き、上体を引き上げる動作を行っている。
【０００６】
ところが、ベッド装置７０の利用者８が、例えば開腹手術後など腹部に痛みのある患者である場合、腹部が傷ついているために腹筋が使えず、その動作をとることができない。すなわち、上体を引き上げることができないまま背ボトム２が起き上がり続けるので、下腹部８ｃが圧迫されて激痛が生じる。そのため、腹部に痛みのある利用者８は、リクライニング機構を備えたベッド装置７０を利用しても、１人で起き上がることができない。なお、図６（ａ）に示したベッド装置６０に仰臥している状態や、図６（ｂ）に示した上半身が起こされた状態は、腹部に痛みのある利用者８が痛みを感じない姿勢である。
【０００７】
そこで、実際には、途中で背ボトム２の起き上がりを停止し、そこからは介護者が利用者８の両腕を引っ張って、上体を起こしている。このとき、介護者は、ベッド装置７０の横から利用者８を前方に起こさなければならず、腰に負担がかかる。また、利用者８が１日に何度も横になったり起き上がったりするため、介護者は常に利用者８の傍にいなくてはならない。
【先行技術文献】
【特許文献】
【０００８】
【特許文献１】特開平１１−８９６７２号公報
【発明の概要】
【発明が解決しようとする課題】
【０００９】
上述したように、腹部に痛みのある利用者８は、電動で背ボトム２の角度変化を調整できるクライニング機構を備えたベッド装置７０を利用したとしても、１人で起き上がることができないという問題がある。
【００１０】
本発明は、上記のような問題点を解決するためになされたものであり、腹部に痛みをもつ利用者が１人で起き上がることができるベッド装置、及びそれを用いた起き上がり方法を提供することを目的とする。
【課題を解決するための手段】
【００１１】
本発明の第１の態様にかかるベッド装置は、背ボトムの角度変化を電動で調整できるリクライニングベッドと、前記リクライニングベッドの利用者が上半身を上方に引き上げるために用いる手すりであって、前記背ボトムの角度が変化する動作に連動して前記リクライニングベッドの長手方向に移動可能な手すりと、を備えるものである。これにより、背ボトムの角度が変化する動作に連動して移動する手すりの動きを利用して、利用者が上半身を上方に引き上げることができる。このため、腹部に痛みをもつ利用者が１人で起き上がることができる。
【００１２】
本発明の第２の態様にかかるベッド装置は、上述のベッド装置であって、前記背ボトムを動作させて角度変化を調整するための第１コントローラと、前記背ボトムの動作と同期させて前記手すりを移動させるための第２コントローラと、をさらに備えるものである。これにより、第２コントローラを操作することにより、背ボトムの動作と同期させて手すりを移動させることができる。
【００１３】
本発明の第３の態様にかかるベッド装置は、上述のベッド装置であって、前記第２コントローラからの指示によって、前記背ボトムを起こす場合は、前記背ボトムが起き上がる動作に連動して前記手すりが前記利用者の前方方向へ移動され、前記背ボトムを倒す場合は、前記背ボトムが倒される動作に連動して前記手すりが前記利用者の後方方向へ移動されることを特徴とするものである。これにより、背ボトムが起き上がる動作に連動して前方方向に移動する手すりの動きを利用して、利用者が上半身を上方に引き上げることができる。
【００１４】
本発明の第４の態様にかかるベッド装置は、上述のベッド装置であって、前記第２コントローラは、前記手すりに設けられているものである。これにより、利用者は手すりにつかまった状態で第２コントローラを容易に操作することができる。
【００１５】
本発明の第５の態様にかかるベッド装置は、上述のベッド装置であって、物を載置するためのテーブルが前記手すりに備えられているものである。これにより、ベッド装置の利便性を向上することができる。
【００１６】
本発明の第６の態様にかかる起き上がり方法は、上述のベッド装置を用いて利用者が起き上がる起き上がり方法であって、前記第１コントローラを操作することによって、前記背ボトムを所定の角度まで起こし、前記利用者が前記手すりをつかんだ状態で前記第２コントローラを操作することによって、前記背ボトムが前記所定の角度からさらに起き上がる動作に連動して前方方向に移動する前記手すりの動きを利用して前記利用者が上半身を上方に引き上げて起き上がるものである。このような方法により、背ボトムが起き上がる動作に連動して前方方向に移動する手すりの動きを利用して、利用者が上半身を上方に引き上げることができる。
【００１７】
本発明の第７の態様にかかる起き上がり方法は、上述の起き上がり方法であって、前記所定の角度は、腹部に痛みをもつ前記利用者が前記背ボトムに圧迫されることにより腹部に痛みを感じる前の角度である。これにより、腹部に痛みをもつ利用者が１人で起き上がることができる。
【発明の効果】
【００１８】
本発明によれば、腹部に痛みをもつ利用者が１人で起き上がることができるベッド装置、及びそれを用いた起き上がり方法を提供することができる。
【図面の簡単な説明】
【００１９】
【図１】実施の形態１に係るベッド装置の構成を示す概略図である。
【図２】実施の形態１に係るベッド装置に用いられる稼動手すりの手すり部を拡大して示す概略図である。
【図３】実施の形態１に係るベッド装置を利用した起き上がり方法を説明するための図である。
【図４】実施の形態２に係るベッド装置の構成を示す概略図である。
【図５】実施の形態２に係るベッド装置に用いられる稼動手すりの手すり部を拡大して示す概略図である。
【図６】利用者がベッド装置上に仰臥している状態と上半身を起こしている状態とを示す側面図である。
【図７】従来のリクライニング機構を備えたベッド装置を利用して利用者が起き上がるときの状態を説明するための側面図である。
【発明を実施するための形態】
【００２０】
以下に、本発明の好ましい実施の形態を説明する。以下の説明は、本発明の実施の形態を説明するものであり、本発明が以下の実施形態に限定されるものではない。説明の明確化のため、以下の記載及び図面は、適宜、省略及び簡略化がなされている。また、説明の明確化のため、必要に応じて重複説明は省略されている。尚、各図において同一の符号を付されたものは同様の要素を示しており、適宜、説明が省略されている。
【００２１】
実施の形態１．
始めに、図１を用いて、本実施の形態に係るベッド装置の構成について説明する。図１は、実施の形態１に係るベッド装置の構成を示す概略図である。図１（ａ）は、実施の形態１に係るベッド装置を側面から見た図である。また、図１（ｂ）は、実施の形態１に係るベッド装置を上方から見た図である。
【００２２】
本実施の形態に係るベッド装置１０は、図１に示すように、ベッド本体１と、背部床面（背ボトム）２と、脚部床面３と、稼動手すり４とを備えている。
【００２３】
ベッド本体１は、扁平な直方体状に形成されたベッド部１ａと、ベッド部１ａを支持する脚部１ｂとを有している。一般的には、ベッド本体１に４つの脚部１ｂが設けられ、ベッド部１ａの四隅に脚部１ｂがそれぞれ立設される。なお、図示していないが、脚部１ｂには、ストッパ付きのキャスタ等が取り付けられていてもよい。これによって、ベッド本体１は、移動自在かつ所定の位置で移動不能にロックできるようになる。
【００２４】
ベッド部１ａ上には、背部床面（背ボトム）２と脚部床面３とが配設されている。脚部床面３は、ベッド部１ａに固定されている。脚部床面３の一端側には、背ボトム２が回動自在に連結されている。背ボトム２は利用者８の上半身に対応する部分、脚部床面３は下半身に対応する部分にそれぞれ設けられている。また、ベッド装置１０には、背ボトム２を回動させるための第１駆動装置（不図示）が設けられている。この第１駆動装置を駆動すると、背ボトム２が図１（ａ）の矢印で示す方向に回動されるようになっている。
【００２５】
なお、ベッド装置１０には、背ボトム２を回動させるための第１コントローラ（不図示）が備えられている。この第１コントローラは、ベッド装置１０上に寝ている利用者８の手が届く位置に設けられたもので、一般的なものでよい。第１コントローラを利用者８が制御することによって、第１駆動装置が駆動されて、背ボトム２の角度変化を調整することができる。
【００２６】
このように、ベッド本体１、背ボトム２、及び脚部床面３等によって、背ボトム２の角度変化を電動で調整できる介護ベッド（リクライニングベッド、あるいは背上げ式ベッド）が構成されている。なお、ここでは、一般的なリクライニングベッドの概略構成について例示的に説明したが、背ボトム２の角度変化を電動で調整できるものであれば、上記以外の構成のリクライニングベッドを用いてもよい。
【００２７】
稼動手すり４は、手すり部４ａと、手すり部４ａを支持する支持部４ｂとを有している。手すり部４ａは、ベッド部１ａ上の利用者８が容易に掴むことのできる高さで、ベッド部１ａの短手方向に延在している。詳細については後述するが、稼動手すり４は、利用者８の上半身を上方に引き上げるための引き上げ手段として用いられるものである。そのため、手すり部４ａは、利用者８が容易に掴まることが可能な形状であることが好ましい。
【００２８】
手すり部４ａの両端部分には、手すり部４ａを支持し、かつベッド部１ａの長手方向に移動可能な支持部４ｂがそれぞれ設けられている。支持部４ｂは、例えばベッド部１ａの下側の部分でベッド本体１に取り付けられている。また、ベッド装置１０には、支持部４ｂを移動させるための第２駆動装置（不図示）が設けられている。この第２駆動装置を駆動すると、支持部４ｂがベッド部１ａの長手方向に移動されるようになっている。すなわち、稼動手すり４がベッド部１ａの長手方向に移動される。
【００２９】
図２は、実施の形態１に係るベッド装置１０に用いられる稼動手すり４の手すり部４ａを拡大して示す概略図である。図２に示すように、手すり部４ａには、稼動手すり４を動かすための第２コントローラ５が取り付けられている。第２コントローラ５は、両方の手で稼動手すり４に掴まっている状態の利用者８が操作し易い位置に設けられている。ここでは、手すり部４ａに掴まった利用者８の右手８ａと左手８ｂのうち、例えば、右手８ａの親指近傍の部分に第２コントローラ５が配置されている。
【００３０】
そして、第２コントローラ５には、稼動手すり４を図１（ｂ）の矢印で示す前方方向に移動させるための操作ボタン５ａと、矢印で示す方向とは反対の後方方向に移動させるための操作ボタン５ｂとが設けられている。これらの操作ボタン５ａ、５ｂが操作されると、稼動手すり４と背ボトム２とが連動して動くようになっている。すなわち、第２コントローラ５を利用者８が制御することによって、第１駆動装置及び第２駆動装置が駆動され、稼動手すり４と背ボトム２とを同期して動かすことができる。
【００３１】
具体的には、操作ボタン５ａを押し続けると、稼動手すり４が利用者８の前方方向に移動し続け、これと同期して背ボトム２が起上方向に回動され続ける。すなわち、第２コントローラ５からの指示によって、背ボトム２を起こす場合は、背ボトム２が起き上がる動作に連動して稼動手すり４が利用者８の前方方向へ移動される。稼動手すり４と背ボトム２の動作は、操作ボタン５ａを離すと停止する。
【００３２】
一方、操作ボタン５ｂを押し続けると、稼動手すり４が後方方向に動き続け、これと同期して背ボトム２が水平方向に回動され続ける。すなわち、第２コントローラ５からの指示によって、背ボトム２を倒す場合は、背ボトム２が倒される動作に連動して稼動手すり４が利用者８の後方方向へ移動される。稼動手すり４と背ボトム２の動作は、同様に、操作ボタン５ｂを離すと停止する。
【００３３】
このように、本実施の形態に係るベッド装置１０は、背ボトム２の角度変化を電動で調整できるリクライニングベッドと、このリクライニングベッドの利用者８が上半身を上方に引き上げるために用いるものであって、背ボトムの角度が変化する動作に連動してリクライニングベッドの長手方向に移動可能な稼動手すり４とを備えている。そして、本実施の形態に係るベッド装置１０は、背ボトム２を動作させて角度変化を調整するための第１コントローラと、背ボトム２の動作と同期させて稼動手すり４を移動させるための第２コントローラ５とをさらに備える。
【００３４】
次に、本実施の形態に係るベッド装置１０を利用して利用者８が起き上がるための起き上がり方法について、図３を用いて説明する。図３は、実施の形態１に係るベッド装置１０を利用した起き上がり方法を説明するための図である。
【００３５】
図３（ａ）に示すようにベッド装置１０に仰臥している状態の利用者８は、まず第１コントローラを操作する。これにより、背ボトム２を起上方向へと回動させて、水平状態から起こして（上げて）いく。そして、図３（ｂ）に示すように、所定の角度まで背ボトム２を起こしたら、背ボトム２の回動を停止させ、稼動手すり４を掴む。ここで、所定の角度とは、腹部に痛みをもつ利用者８が、背ボトム２に圧迫されることにより腹部に痛みを感じる前の角度とする。
【００３６】
次に、利用者８は、稼動手すり４を掴んだ状態で、第２コントローラ５を操作する。ここでは、第２コントローラ５の操作ボタン５ａを押し続ける。これにより、背ボトム２を再び起上方向へと回動させて、図３（ｂ）に示す状態からさらに起こしていく。このとき、背ボトム２の起き上がりと同期して稼動手すり４が前方に動くので、利用者８は稼動手すり４の動きに合わせて、自分の上体、腰部を上の方にずらしながら上半身を起こしていく。すなわち、利用者８はスライドする稼動手すり４を持ち、稼動手すり４が前方に移動する動きを利用して、上体を上に引き上げ、臀部を後方へずらす。腕の力を使うことで、腹部に痛みのある利用者８でも腹筋に負担をかけずに上体を起すことができる。そのため、背ボトム２を起こす途中に、下腹部が圧迫されて激痛が生じるということがなく、背ボトム２を起こし続けることができる。
【００３７】
このように、稼動手すり４は、利用者８の上半身を上方に引き上げるための引き上げ手段となる。すなわち、利用者８は、この稼動手すり４につかまって、起き上がる途中で腰部（臀部）を後ろに引き、上体を引き上げる動作を行うことで、下腹部が圧迫状態となることを防ぐことができる。利用者８は、このような方法で背ボトム２を起こすことによって、１人で起き上がることができる。
【００３８】
なお、背ボトム２を倒す（下げる）場合は、これとは逆の動作を行えばよい。
【００３９】
以上のように、本実施の形態では、背ボトム２の動きと連動して長手方向に移動する稼動手すり４を備えている。これにより、背ボトム２が起き上がる動きと連動して稼動手すり４を前方に移動させることができる。利用者８は、この稼動手すり４をつかんで、稼動手すり４が前方に移動する動きを利用して、上体を上に引き上げ、臀部を後方へずらす。腕の力を使うことで、腹部に痛みをもつ利用者８でも腹筋に負担をかけずに上体を起こすことができる。すなわち、このようなベッド装置１０を利用することによって、腹部に痛みをもつ利用者８でも１人で起き上がることができる。
【００４０】
なお、本実施の形態では、稼動手すり４が背ボトム２と同期して移動する場合についてのみ例示的に説明したが、ベッド装置１０は、稼動手すり４が背ボトム２と同期せずに単独で移動できる機能をさらに備えていてもよい。例えば、第１コントローラに、稼動手すり４の位置を操作するための制御ボタンなどを取り付けることもできる。これにより、背ボトム２を途中まで起こしたときに、個々の利用者８が掴みやすい位置にまで稼動手すり４のみを移動させることができる。
【００４１】
実施の形態２．
本実施の形態に係るベッド装置の構成について、図４を用いて説明する。図４は、実施の形態２に係るベッド装置の構成を示す概略図である。図４（ａ）は、実施の形態２に係るベッド装置を側面から見た図である。また、図４（ｂ）は、実施の形態２に係るベッド装置を上方から見た図である。本実施の形態では、稼動手すり４の構成が実施の形態１と異なっていて、それ以外の構成については実施の形態１と同様であるため、説明を省略する。
【００４２】
図４に示すように、本実施の形態にかかるベッド装置２０は、稼動手すり４がテーブル４ｃをさらに有している。ここでは、テーブル４ｃは、支持部４ｂに支持されるように設けられている。そして、支持部４ｂによって支持されたテーブル４ｃに、手すり部４ａが取り付けられている。すなわち、テーブル４ｃを介して手すり部４ａが支持部４ｂに支持されるようになっているが、この構成に限定されるものではなく、手すり部４ａが直接支持部４ｂに取り付けられていてもよい。
【００４３】
図５は、実施の形態２に係るベッド装置２０に用いられる稼動手すり４の手すり部４ａを拡大して示す概略図である。手すり部４ａは、例えば図５に示すように、テーブル４ｃの下側の面に連結部４ｄを介して取り付けられている。このように、物を載置するためのテーブル４ｃが稼動手すり４に備えられることによって、配膳トレイなどをテーブル４ｃ上に置けるようになるので、利便性が向上する。
【００４４】
以上のように、本実施の形態では、稼動手すり４にテーブル４ｃが取り付けられている。これにより、ベッド装置２０の利便性を向上することができる。また、実施の形態１と同様の効果を奏することができる。すなわち、利用者８は、テーブル４ｃを備えた稼動手すり４をつかんで、これが前方に移動する動きを利用して、腹筋に負担をかけずに上体を起こすことができる。このようなベッド装置２０を利用することによって、腰部に痛みのある利用者８でも１人で起き上がることができる。
【００４５】
なお、本発明は上記実施の形態に限られたものではなく、趣旨を逸脱しない範囲で適宜変更することが可能である。例えば、稼動手すり４の構成は、上述した形状に限るものではない。要するに、背ボトム２の動きと連動してベッド装置の長手方向に移動が可能で、利用者８がこれを掴んで自らの上半身を上方に引き上げるための引き上げ手段となることができるものであればよい。
【符号の説明】
【００４６】
１  ベッド本体、
１ａ  ベッド部、１ｂ  脚部、
２  背ボトム、３  脚部床面、
４  稼動手すり、
４ａ  手すり部、４ｂ  支持部、
４ｃ  テーブル、４ｄ  連結部、
５  第２コントローラ、
５ａ、５ｂ  操作ボタン
８  利用者、８ａ  右手、
８ｂ  左手、８ｃ  下腹部、
１０、２０、６０、７０  ベッド装置
【図１】
2010162196.tif 000003
【図２】
2010162196.tif 000004
【図３】
2010162196.tif 000005
【図４】
2010162196.tif 000006
【図５】
2010162196.tif 000007
【図６】
2010162196.tif 000008
【図７】
2010162196.tif 000009